(57)【要約】【課題】  マンゴー類を包装して、貯蔵、出荷、運搬、店頭陳列する際に、炭そ病の発生が少なく、しおれが少なく、異臭が無く、酸味の低下が少なく、外観及び固有の食感と味に優れたいわゆる鮮度保持効果を発揮するマンゴー類の保存方法及びマンゴー類の鮮度保持用包装袋を提供する。【解決手段】  高分子フィルムからなるマンゴー類の鮮度保持用包装袋であって、マンゴー類保存時の該鮮度保持用包装袋の透湿度が８０ｇ／ｍ2・ｄａｙ（４０℃、９０％ＲＨ）以下であり、酸素透過量Ｐが１２０ｃｃ／１００ｇ・ｄａｙ・ａｔｍ以上であることを特徴とするマンゴー類の鮮度保持用包装袋である。【選択図】なし【特許請求の範囲】
【請求項１】
高分子フィルムからなるマンゴー類の鮮度保持用包装袋であって、マンゴー類保存時の該鮮度保持用包装袋の透湿度が８０ｇ／ｍ2・ｄａｙ（４０℃、９０％ＲＨ）以下であり、酸素透過量Ｐが１２０ｃｃ／１００ｇ・ｄａｙ・ａｔｍ以上であることを特徴とするマンゴー類の鮮度保持用包装袋。
【請求項２】
前記鮮度保持包装袋の酸素透過量Ｐが１２０〜２０００ｃｃ／１００ｇ・ｄａｙ・ａｔｍである請求項１に記載のマンゴー類の鮮度保持用包装袋。
【請求項３】
前記鮮度保持包装袋の透湿度が２〜４０ｇ／ｍ2・ｄａｙ（４０℃、９０％ＲＨ）である請求項１に記載のマンゴー類の鮮度保持包装袋。
【請求項４】
前記鮮度保持用包装袋が、平均孔径２０〜１００μｍの微孔を有する請求項１、２又は３に記載のマンゴー類の鮮度保持用包装袋。
【請求項５】
前記鮮度保持用包装袋が、マンゴー類１個包装用の包装袋である請求項１〜４のいずれかに記載のマンゴー類の鮮度保持用包装袋。
【請求項６】
マンゴー類が樹上で自然落下するまで熟した果実である請求項１〜５のいずれかに記載のマンゴー類の鮮度保持用包装袋。
【請求項７】
請求項１〜６のいずれかに記載のマンゴー類の鮮度保持用包装袋にマンゴー類を内包してマンゴー類を保存することを特徴とするマンゴー類の保存方法。
【請求項８】
前記鮮度保持用包装袋にマンゴー類を内包したマンゴー類の包装体において、前記包装体内の湿度が９５％ＲＨ以上である請求項７に記載のマンゴー類の保存方法。
【発明の詳細な説明】
【技術分野】
【０００１】
本発明は、マンゴー類を包装して、貯蔵、出荷、運搬、店頭陳列する際のマンゴー類の保存方法及びマンゴー類の鮮度保持用包装袋に関する。
【背景技術】
【０００２】
マンゴー類は、炭そ病が発生しやすい果実である。炭そ病は、まず果皮に黒い小さな点が生じ、数日後、早い場合は翌日までに１ｃｍ以上の黒変になってしまう病気で、出荷時の検査で問題が無いようにみえても、翌日市場等に着いた時点で病状が顕著になっていることもあるので、選別で病害果を取り除くのには限界がある。特にマンゴー類は高価な果物であり、生産者、小売業者等から炭そ病に関する対策を強く望まれている。
【０００３】
炭そ病の原因となる菌は、Ｃｏｌｌｅｔｏｔｒｉｃｈｕｍ属の菌であり、畑の土壌中などにも普通に存在しており、栽培中に付着・感染していることが多い。元々侵害力が弱い菌で高温・多湿を好むといわれており、果実の細胞が死んだり、弱ったりすると発病する。
炭そ病の対策としては、ボルドー液などの殺菌剤が通常使用されているが、十分な効果が得られていなかった。特に、収穫後の果実においては、殺菌剤の使用が制限されており、何らかの対策が必要とされている。
【０００４】
また、マンゴー類は、収穫後に追熟が進む果実であり、熟度が進むにつれて酸味が低下する。ある程度までの低下であれば、甘味と酸味のバランスが程よくなり好ましい現象と言えるが、酸味が低下しすぎるとマンゴー類としての価値が低下してしまうので、適度な酸味を長く維持できることも熱望されている。
【０００５】
マンゴー類をはじめ青果物は、周囲のガス雰囲気が大気よりも低酸素濃度、高二酸化炭素濃度になると、大気中にある場合に比べて呼吸量が少なくなり、青果物の鮮度が長持ちするようになる。しかし、青果物を過度な低酸素濃度、高二酸化炭素濃度条件下に置くと、呼吸障害を起こす。
【０００６】
そのため、青果物を包装して、貯蔵、出荷、運搬、店頭陳列する際には、青果物を適度なガス条件下に置いておくことが望ましい。
【０００７】
ところが、最適なガス条件は、青果物の種類により異なるため、マンゴー類以外の青果物では、良好な保存条件であったとしても、マンゴー類に応用できるとは限らない。特に、マンゴー類は、保存中に腐敗の発生や炭そ病といわれる病気の発生、酸味の低下といった問題が生じやすいため、マンゴー類以外の青果物での保存条件を、そのままマンゴー類に適用することはできない。
【０００８】
マンゴー類の炭そ病の防除方法として、特開２００１−３９８１０号公報（特許文献１）には、マンゴー類の炭そ病に対して拮抗作用のある微生物を培養し、その培養菌体をマンゴー類の地上部に散布することにより、病原菌の防除を可能とするマンゴー類の炭そ病の防除法や前記の培養菌体、並びに化学薬剤を収穫後のマンゴー類果実に散布することにより、病原菌を防除する方法が記載されている。しかし、特許文献１の方法では、拮抗作用のある微生物を培養するので手間がかかり、また化学薬剤を散布するので好ましくない。
【０００９】
【特許文献１】特開２００１−３９８１０号公報
【発明の開示】
【発明が解決しようとする課題】
【００１０】
特許文献１に開示されているマンゴー類の炭そ病の防除方法は、菌体の培養や管理する手間、並びに正しい種類の菌体や量が使用できているかを確認しづらいという問題があった。また、菌体や薬剤を収穫後の果実の散布することは、安心・安全の観点から、消費者に受け入れられにくかった。
【００１１】
従って、本発明の課題は、容易にマンゴー類の炭そ病を抑制すること、マンゴー類の酸味が低下し食味が悪くなるのを防止すること、及びしおれや臭気が発生しないことなどに優れた鮮度保持効果を有するマンゴー類の保存方法及びマンゴー類の鮮度保持用包装袋を提供することにある。
【課題を解決するための手段】
【００１２】
本発明者は、上記従来技術における課題を解決すべく、鋭意研究を重ねた結果、マンゴー類の透湿度と酸素透過量を特定の範囲にすることにより、マンゴー類の鮮度保持効果が高くなることを見出し、本発明を完成させるに至った。
【００１３】
すなわち、本発明（１）は、
高分子フィルムからなるマンゴー類の鮮度保持用包装袋であって、マンゴー類保存時の該鮮度保持用包装袋の透湿度が８０ｇ／ｍ2・ｄａｙ（４０℃、９０％ＲＨ）以下であり、酸素透過量Ｐが１２０ｃｃ／１００ｇ・ｄａｙ・ａｔｍ以上であるマンゴー類の鮮度保持用包装袋を提供するものである。
【００１４】
更には、
（２）前記鮮度保持包装袋の酸素透過量Ｐが１２０〜２０００ｃｃ／１００ｇ・ｄａｙ・ａｔｍである（１）に記載のマンゴー類の鮮度保持用包装袋であり、
（３）前記鮮度保持包装袋の透湿度が２〜４０ｇ／ｍ2・ｄａｙ（４０℃、９０％ＲＨ）である（１）に記載のマンゴー類の鮮度保持包装袋であり、
（４）前記鮮度保持用包装袋が、平均孔径２０〜１００μｍの微孔を有することを特徴とする（１）、（２）又は（３）に記載のマンゴー類の鮮度保持用包装袋であり、
（５）前記鮮度保持用包装袋が、マンゴー類１個包装用の包装袋である請求項（１）〜（４）のいずれかに記載のマンゴー類の鮮度保持用包装袋であり、
（６）マンゴー類が樹上で自然落下するまで熟した果実である（１）〜（５）のいずれかに記載のマンゴー類の鮮度保持用包装袋である。
また、
（７）上記の（１）〜（６）のいずれかに記載のマンゴー類の鮮度保持用包装袋にマンゴー類を内包してマンゴー類を保存することを特徴とするマンゴー類の保存方法。
（８）前記鮮度保持用包装袋にマンゴー類を内包したマンゴー類の包装体において、前記包装体内の湿度が９５％ＲＨ以上である（７）に記載のマンゴー類の保存方法である。
【発明の効果】
【００１５】
本発明によれば、マンゴー類を包装して、貯蔵、出荷、運搬、店頭陳列する際に、炭そ病の発症が少なく、酸味の低下が小さく、食味の優れたマンゴー類を提供でき、これらの効果などを含めた鮮度保持効果を発揮するマンゴー類の保存方法及びマンゴー類の鮮度保持用包装袋を提供することができる。これにより生産者、小売業者などの段階で、炭そ病により廃棄されるマンゴー類が少なくなり、また、消費者としても酸味の低下が小さいため購入後直ちに食するという必要はなく、ある程度の期間をおいても十分な食味があるため、食する時期の自由度が大きくなっている。
【発明を実施するための最良の形態】
【００１６】
本発明のマンゴー類の保存方法は、マンゴー類を高分子フィルムで包装して保存するマンゴー類の保存方法において、保存時の該高分子フィルムの透湿度を１２０ｇ／ｍ2・ｄａｙ（４０℃、９０％ＲＨ）以下、酸素透過量Ｐを１２０ｃｃ／（１００ｇ・ｄａｙ・ａｔｍ）以上とするマンゴー類の保存方法である。
【００１７】
本発明のマンゴー類の保存方法は、該マンゴー類を収穫後、本発明の包装袋で包装し、貯蔵、出荷、運搬、店頭陳列する際の保存方法である。貯蔵とは包装したマンゴーを出荷までの間倉庫などで保管することを言い、出荷とは貯蔵した後のマンゴーをトラックなどに積み込むまでを言う。
包装体１つ当りの該マンゴー類の数は、１個であることが好ましい。なお、本発明においては、該包装体とは、該高分子フィルムで包装された該マンゴー類のことを指す。
【００１８】
本発明のマンゴー類とは、ウルシ科マンゴー類属の果実であり、食用となる果実である。その種類としては特に限定されないが、例えば、カラパオ種、ヘイデン種、ケント種、ケイト種、アーウィン種などが挙げられる。
【００１９】
本発明のマンゴー類の保存方法に係る該高分子フィルムは、特に制限されず、青果物の包装に用いられている高分子フィルムであれば良い。高分子フィルムの材質としては、例えば、ポリエチレン、ポリプロピレン、ポリ塩化ビニル、ポリアミド、ポリエステル、ポリ乳酸等、あるいは、これらの複合材料が挙げられる。これらは、防曇加工や印刷を施したものでもよく、延伸されたものでも良い。これらの材質の中で、ポリプロピレン、ポリエチレンの材質が鮮度保持の点で好ましい。
【００２０】
該高分子フィルムの厚さは、特に制限されないが、通常、１５〜６０μｍであり、取り扱い及びコストの観点から、２０〜４０μｍが好ましい。
【００２１】
本発明のマンゴー類の保存方法では、保存時のマンゴー類の包装に用いられるマンゴー類の鮮度保持用包装袋の透湿度は、８０ｇ／ｍ2・ｄａｙ（測定法：ＪＩＳ  Ｚ  ０２０８）以下である。該保存時の透湿度が上記範囲にあることにより、鮮度保持効果が高くなる。特に、該保存時の透湿度が上記範囲にあることにより、炭そ病の発生、しおれが少なくなる。一方、該保存時の透湿度が高過ぎると、炭そ病の発生が多くなり、しおれやすくなる。好ましくは、２〜４０ｇ／ｍ2・ｄａｙである。
【００２２】
本発明のマンゴー類の保存方法では、マンゴー類の包装に用いられるマンゴー類の鮮度保持用包装袋の酸素透過量Ｐは、該包装袋内のマンゴー類１００ｇ当たり、１２０ｃｃ／（１００ｇ・ｄａｙ・ａｔｍ）以上である。該保存時の酸素透過量Ｐが上記範囲にあることにより、鮮度保持効果が高くなる。特に、該保存時の酸素透過量Ｐが上記範囲にあることにより、酸味の低下、食味の低下が少なくなる。一方、該保存時の酸素透過量Ｐが少な過ぎると、異常代謝による異味が生じて食味が悪くなる可能性がある。酸味が低下するほど食べた際の食味が低下し、マンゴー類はおいしくなくなる。酸素透過量Ｐは、好ましくは１２０〜５０００ｃｃ／（１００ｇ・ｄａｙ・ａｔｍ） 、さらに好ましくは１２０〜２０００ｃｃ／（１００ｇ・ｄａｙ・ａｔｍ）である。
【００２３】
マンゴー類は、一般に劣化しやすく、特に生食で食されることが増えてきているので、該マンゴー類の鮮度保持においては、炭そ病が発生しないこと、しおれが少ないことという外観と酸味が低下しない（酸味が抜けすぎない）という固有の味が、特に重視される。
【００２４】
本発明において、該保存時の酸素透過量Ｐ[ｃｃ／（１００ｇ・ｄａｙ・ａｔｍ）]とは、２３℃における、包装されるマンゴー類１００ｇ当りの、１日当りの、包装体の内と外との酸素圧力差１気圧当りの酸素透過量である。
【００２５】
２３℃における単位面積当りの酸素透過量がＦ[ｃｃ／（ｍ2・ｄａｙ・ａｔｍ）]の高分子フィルムを用いて、該マンゴー類を包装する場合、該保存時の酸素透過量Ｐ[ｃｃ／（１００ｇ・ｄａｙ・ａｔｍ）]は、２３℃における該高分子フィルムの単位面積当りの酸素透過量Ｆ[ｃｃ／（ｍ2・ｄａｙ・ａｔｍ）]に、該高分子フィルムの有効表面積Ｓ（ｍ2）を乗じて得た値を、包装されるマンゴー類の質量Ｗ（ｇ）で除し、１００を乗じた値である。例えば、２３℃における高分子フィルムの単位面積当りの酸素透過量がｆ[ｃｃ／（ｍ2・ｄａｙ・ａｔｍ）]、高分子フィルムの有効表面積がｓ（ｍ2）、包装されたマンゴー類の質量がｗ（ｇ）であった場合、保存時の酸素透過量Ｐは、
Ｐ＝ｆ×ｓ×（１００／ｗ）
となる。なお、該高分子フィルムの有効表面積とは、該高分子フィルムのうち、酸素透過に関与できる部分の表面積を指し、密封のために張り合わせられている部分のような、酸素透過に関与できない部分を除く表面積のことである。例えば、長方形の２枚の高分子フィルムを、４辺をヒートシールして密封して、該マンゴー類を包装する場合、密封後の包装袋の内側の表面積が、該高分子フィルムの有効表面積である。
【００２６】
本発明のマンゴー類の保存方法では、該高分子フィルムの材質自体の酸素透過性が低い場合、例えば、該高分子フィルムに平均孔径５〜１５０μｍ、好ましくは平均孔径１０〜１００μｍの微孔を開け、該微孔の大きさ及び数により、該保存時の酸素透過量Ｐを上記範囲内に調整することができる。また、該高分子フィルムの材質によっては、微孔を開けなくても、材質自体での酸素透過により、該保存時の酸素透過量Ｐを上記範囲内に調整することができる。このような場合は、該高分子フィルムの材質や厚みを選択することによって、該保存時の酸素透過量Ｐを調整することができる。また、該高分子フィルムの材質及び微孔の大きさ又は数の選択によって、該保存時の酸素透過量Ｐを調整することもできる。
【００２７】
該高分子フィルムを用いて作成した鮮度保持用包装袋の形状は、特に制限されない。
【００２８】
本発明のマンゴー類の保存方法では、該マンゴー類を、該高分子フィルムに入れ、密封するが、該高分子フィルムを密封する方法としては、ヒートシール、結束帯、輪ゴム、かしめ等、特に制限されない。この場合、マンゴー類を通気性のある容器に入れた状態で該高分子フィルムに入れても良い。また、本発明のマンゴー類の保存方法では、包装形態としては、袋詰めの形態だけではなく、例えば、トレイ容器にトップシールする形態であってもよく、あるいは、ダンボール箱と該高分子フィルムとを一体化させた形態であってもよい。
【００２９】
本発明のマンゴー類の保存方法は、該マンゴー類を収穫後、高分子フィルムで包装し、該マンゴー類が該高分子フィルムで包装された包装体を、貯蔵、出荷、運搬、店頭陳列する際の保存方法であるので、保存温度は、通常は０〜３０℃であることが好ましい。つまり、本発明のマンゴー類の保存方法は、上記保存温度条件下における保存方法であることが好ましい。貯蔵、出荷、運搬、店頭陳列において、上記の保存温度で保存されるのが好ましいが、出荷、運搬、店頭陳列などにおいて、上記の保存温度を保つことが難しい場合もあり、その場合はその温度範囲にできるだけに近づけるようにする方が良い。
【００３０】
保存温度が０℃未満では、凍結と低温障害の恐れがあり、３０℃を超えると、果実の劣化やカビの発生が早くなる可能性がある。また、５℃未満では、低温障害が生じる可能性があり、好ましくは５℃〜２５℃である。更に５〜１２℃の範囲であれば、本発明の包装袋による鮮度保持効果がより大きくなり、貯蔵において１ヶ月程度の長期の貯蔵が可能となるためより好ましい。
【００３１】
本発明のマンゴー類の保存方法において、マンゴー類を内包する包装体内の湿度は９５％ＲＨ以上であることが好ましく、炭そ病としおれの防止に対してより効果がある。更に好ましくは、９７％ＲＨ以上である。マンゴー類を内包する包装体内の湿度は、マンゴー類を貯蔵している間だけでも９５％ＲＨ以上であっても良い。
本発明の該高分子フィルムの透湿度を８０ｇ／ｍ2・ｄａｙ（４０℃、９０％ＲＨ）以下とすることによって包装体内の湿度を９５％ＲＨ以上に維持することができる。該高分子フィルムの透湿度が４０ｇ／ｍ2・ｄａｙ（４０℃、９０％ＲＨ）以下であれば包装体の周囲の湿度が１０％ＲＨのような特殊な条件でも包装体内の湿度を９７％ＲＨ以上に維持できるのでより好ましい。
【００３２】
本発明の従来の技術で記したように、一般にマンゴー類は湿度が高いところで保存すると炭そ病が発生しやすいと言われているが、本発明を用い、マンゴー類の包装体内を上記の湿度範囲とすることにより、炭そ病が抑制されることを見出した。
【００３３】
本発明のマンゴー類の保存方法は、次に述べる本発明のマンゴー類の鮮度保持用包装袋により、好適に行なわれる。
【００３４】
本発明のマンゴー類の鮮度保持用包装袋は、高分子フィルムからなるマンゴー類の鮮度保持用包装袋であって、
マンゴー類保存時の該鮮度保持用包装袋の透湿度が８０ｇ／ｍ2・ｄａｙ以下、酸素透過量Ｐが、１２０ｃｃ／（１００ｇ・ｄａｙ・ａｔｍ）以上のマンゴー類の鮮度保持用包装袋である。
【００３５】
本発明のマンゴー類の鮮度保持用包装袋に係る該マンゴー類は、本発明のマンゴー類の保存方法に係る該マンゴー類と同様である。
【００３６】
本発明のマンゴー類の鮮度保持用包装袋に係る該高分子フィルムの材質は、本発明のマンゴー類の保存方法に係る該高分子フィルムの材質と同様である。
【００３７】
該高分子フィルムの厚さは、特に制限されないが、通常、１５〜６０μｍであり、取り扱い及びコストの観点から、２０〜４０μｍが好ましい。
【００３８】
該鮮度保持用包装袋は、該マンゴー類保存時の該鮮度保持用包装袋の酸素透過量Ｐ、又は該高分子フィルムの単位面積当りの酸素透過量Ｆを調節するために、微孔を有してもよく、この場合、該微孔の平均孔径は、５〜１５０μｍ、好ましくは１０〜１００μｍであり、該微孔の開孔面積比率は、７．８×１０-6〜６．７×１０-4％、好ましくは９．８×１０-6〜２．０×１０-4％である。なお、該微孔の開孔面積比率とは、該鮮度保持用包装袋を形成する該高分子フィルムの有効表面積に対する該微孔の総面積の比率（％）である（｛微孔の総面積／高分子フィルムの有効表面積｝×１００）。
【００３９】
２３℃における、該マンゴー類保存時の該鮮度保持用包装袋の酸素透過量Ｐは、１２０ｃｃ／（１００ｇ・ｄａｙ・ａｔｍ）以上であり、好ましくは１２０〜５０００ｃｃ／（１００ｇ・ｄａｙ・ａｔｍ）、さらに好ましくは、１２０〜２０００ｃｃ／（１００ｇ・ｄａｙ・ａｔｍ）である。酸素透過量が大きくなると酸味の低下が進み易くなる可能性があるので、貯蔵日数が長くなる場合は、５０００ｃｃ／（１００ｇ・ｄａｙ・ａｔｍ）以下、更には２０００ｃｃ／（１００ｇ・ｄａｙ・ａｔｍ）以下であることが好ましい。該マンゴー類保存時の該鮮度保持用包装袋の酸素透過量Ｐが上記範囲にあることにより、鮮度保持効果が高くなる。特に、該マンゴー類保存時の該鮮度保持用包装袋の酸素透過量Ｐが上記範囲にあることにより、酸味の低下が少なくなって、食味が良好に維持される。
【００４０】
マンゴー類の酸味は、例えば、次のような手順による滴定酸度を測定することにより、マンゴー類の酸味として判断できる。
縦１／８にカットしたマンゴー類の果肉より果汁を絞った後、果汁を遠心分離機（４０００ｒｐｍ、１０分間）にかけた。この上澄み液２ｍｌを精製水１０ｍｌで希釈して９０％エタノール液に溶解した１％フェノールフタレイン液３滴をスポイトで添加し、０．１Ｎ水酸化ナトリウム溶液を滴下して、この滴下液量（ｍｌ）を滴定酸度として記した。
【００４１】
この滴定酸度の好ましい範囲としては、滴定酸度（滴下液量）で０．３ｍｌ以上であることが好ましく、０．３５ｍｌ以上であることがより好ましい。さらに好ましくは、０．３９ｍｌ以上である。滴定酸度（滴下液量）が０．３未満では、マンゴー類を食した際、酸味が少なく感じられ食味が劣る可能性がある。
【００４２】
本発明のマンゴー類の鮮度保持包装袋において１個包装であることが好ましいのは、炭そ病や腐敗が他の果実に広がるのを防止できるからである。
マンゴー類１個あたりの重さは、品種によって異なるが、一般的に流通しているものは、８０〜６００ｇ程度である。
【００４３】
本発明のマンゴー類の鮮度保持用包装袋が、８０〜６００ｇのマンゴー類包装用の鮮度保持用包装袋である場合、すなわち、本発明のマンゴー類の鮮度保持用包装袋が、１袋当りに８０〜６００ｇの該マンゴー類を詰めて包装する際の包装袋として用いられる場合、２３℃における該高分子フィルムの単位面積当りの酸素透過量Ｆは、３０００〜１２５０００[ｃｃ／（ｍ2・ｄａｙ・ａｔｍ）]、好ましくは３７００〜６５０００[ｃｃ／（ｍ2・ｄａｙ・ａｔｍ）]であり、該高分子フィルムの有効表面積は、０．０２４〜０．１８ｍ2、好ましくは０．０３６〜０．１２５ｍ2である。本発明のマンゴー類の鮮度保持用包装袋を、８０〜６００ｇのマンゴー類の包装用の鮮度保持用包装袋として用いる場合、該高分子フィルムの単位面積当りの酸素透過量Ｆ及び有効表面積を上記範囲内とすることにより、該マンゴー類保存時の該鮮度保持用包装袋の酸素透過量Ｐを上記範囲内にできるので、鮮度保持効果が高くなる。
【００４４】
次に、実施例を挙げて本発明を更に具体的に説明するが、これは単に例示であって、本発明を制限するものではない。
【実施例】
【００４５】
（実施例１〜６、比較例１〜３）
表１に示す材質と厚みの高分子フィルムの３辺をヒートシール（シール巾１０ｍｍ）して、表１に示す外寸の方形の包装袋を作製し、表１に示す微孔を開けた。次いで、該包装袋に、表１に示すマンゴー類１個を詰め、１０ｍｍ巾でヒートシールして密封し、マンゴー類が包装された包装体を得た。このとき、該高分子フィルムの有効表面積Ｓは、ヒートシール部を除いた該包装体の内側の表面積であり、保存時の酸素透過量Ｐは、表１に示す値となる。なお、該保存時の酸素透過量Ｐは、以下の式で求められる。
Ｓ＝（袋の外寸巾−０．０２）×（袋の外寸長−０．０２）×２
Ｐ＝Ｆ×Ｓ×（１００／Ｗ）
Ｐ：保存時の酸素透過量[（ｃｃ／（１００ｇ・ｄａｙ・ａｔｍ）]
Ｆ：２３℃における高分子フィルムの単位面積当りの酸素透過量[ｃｃ／（ｍ2・ｄａｙ
・ａｔｍ）]
Ｓ：高分子フィルムの有効表面積（ｍ2）
Ｗ：包装体に詰められているマンゴー類の質量（ｇ）
【００４６】
次いで、該包装体を、表１に示す条件で貯蔵した。各貯蔵日数後、マンゴー類の品質評価を行いその結果を表２に示す。なお、該品質評価では、各貯蔵日数毎に３個の包装体を用意した。
【００４７】
＜高分子フィルムの単位面積当りの酸素透過量Ｆの測定＞
（１）包装袋の準備
所定の孔径と孔数を有する高分子フィルムを準備し、該高分子フィルムで、４辺がヒートシールで密封された方形の包装袋を作成する。このとき、ヒートシール後の包装袋の内側の表面積が、高分子フィルムの有効表面積Ｓ（ｍ2）であり、Ｓが０．０６ｍ2以上となるように包装袋を作成する。なお、以下全ての作業は、大気中で行う。
【００４８】
（２）窒素ガスの封入
ヒートシールで包装袋を密封した後、アスピレーターを用いて包装袋を脱気する。脱気は、包装袋の両面が貼りつくまで行う。次に、この包装袋に白硬注射筒を用いて窒素ガス（純窒素ガス）を充填する。窒素ガスの充填量は、袋サイズによるが、包装フィルムにテンションがかからない範囲で極力多く入れ、注射筒の目盛りを用いて、窒素ガスの注入量を測定する。なお、注射針を包装袋に突き刺して、ガスの出し入れを行う。針を刺す際は、高分子フィルムに両面テープを貼り、この上からポリプロピレンフィルム製の粘着テープ（以下「ＰＰテープ」という）を貼り付ける。また、針を抜いた後は、速やかにＰＰテープで針穴を塞ぐ。包装袋にはるテープは、４．５ｃｍ2以下の面積に収まるようにする。また、微孔を開けた高分子フィルムの場合は、微孔を塞がないように注意する。
【００４９】
（３）初期酸素濃度の測定
窒素ガス充填直後に、ガスクロマトグラフィー（ＴＣＤ）で測定して、包装袋内の酸素量を求め、酸素濃度Ｃ0（体積％）を算出した。このとき、Ｃ0が０．２体積％超えている場合は、上記（１）及び（２）作業をやり直す。なお、酸素濃度測定用のサンプリングガス量は、１０ｃｃ以下とする。ガスクロマトグラフィーには、１ｃｃ程度の決まった量を注入する。
【００５０】
（４）包装袋の保管
初期酸素濃度を測定した包装袋を、２３℃のインキュベーター中で保管する。このとき、袋の上に物が載ったり、インキュベーターのファンの風が直撃したりしないように静置する。
【００５１】
（５）保管中の包装袋内の酸素濃度の測定及び酸素透過量の計算
少なくとも２点以上経時時間を代えて、包装袋内のガスをサンプリングし、包装袋内の酸素濃度を測定する。このとき、経時時間は、窒素ガス充填直後から３時間以上経過後であり、且つ、包装袋内の酸素濃度が１％以上７％以下の範囲内でなれければならない。そして、経時時間ｔ（時間）と包装袋内の酸素濃度との間に比例関係(相関係数が０．９８以上)が成り立つ必要がある。もし、包装袋内の酸素濃度が１％以上７％以下の範囲内からはずれていた場合、あるいは、比例関係が成り立たない場合は再試験を行う。なお、高分子フィルムの酸素透過量が大きすぎて包装袋内の酸素濃度の上昇が速すぎ、この条件をクリアできない場合は、高分子フィルムの一部を酸素透過量が小さい既知である同じ材質のフィルムと張り合わせて袋を作成して同様に行えばよい。この際、袋の表面積は既知である別のフィルムと張り合わせた部分は除く。
【００５２】
次いで、高分子フィルムの単位面積当りの酸素透過量Ｆを、下記式により計算する。
Ｆ＝｛１．１４３×（Ｃt−Ｃ0）×Ｖ｝／（ｔ×Ｓ）
Ｆ  ：  ２３℃における単位面積当りの酸素透過量[（ｃｃ／（ｍ2・ｄａｙ・ａｔｍ）]
Ｃt ：  窒素ガス充填時から経時時間ｔ時間後の包装袋内の酸素濃度（体積％）1)
Ｃ0 ：  窒素ガス充填直後の包装袋内の酸素濃度（体積％）
Ｖ  ：  充填した窒素ガスの量（ｃｃ）
ｔ  ：  窒素ガス充填直後からの経過時間（時間）1)
Ｓ  ：  包装袋の内側の表面積（高分子フィルムの有効表面積）（ｍ2）
１）Ｃt及びｔとしては、最も長い経時時間の値を用いて計算する。
【００５３】
なお、高分子フィルムの一部を酸素透過量が小さい既知である同じ材質のフィルムと張り合わせて袋を作成した場合は、上記測定により得られる単位面積当りの酸素透過量から、該既知のフィルムの単位面積当りの酸素透過量を減じた値が、対象となる高分子フィルムの単位面積当りの酸素透過量である。
【００５４】
＜官能による食味評価＞
貯蔵日数後、マンゴー類の甘み、酸味及び肉質のそれぞれの評価を行った。各項目について、官能評価により、４段階で評価し、４：良好、３：普通、２：やや劣る、１：劣る、０：食べられなかった、の点数を付けた。
なお、官能試験では、３点以上の点数であれば、良好である。
【００５５】
＜炭そ病の発生＞
貯蔵日数後、目視にてマンゴー類の炭そ病の発生状況を評価した。評価結果は、４段階で評価し、４：良好（発生無し）、３：最大の病斑の大きさが１ｍｍ以下、２：最大の病斑の大きさが１０ｍｍ以下、１：１０ｍｍより大きい病斑がある、の点数を付けた。３点以上の点数であれば、良好である。
＜しおれの発生＞
貯蔵日数後、目視にてマンゴー類の表面を評価した。評価結果は、４段階で評価し、４：良好、３：表皮にツヤがない、２：果実に張りがなく柔らかい、１：表皮にシワが発生、の点数を付けた。３点以上の点数であれば、良好である。
＜臭気＞
貯蔵日数後、マンゴー類を包装している包装袋を開封した直後の袋内の臭気を嗅覚にて評価した。評価結果は、４段階で評価し、４：異臭無し、３：開封直後のみ僅かに異臭を感じる、２：開封して１０秒後でも弱い異臭を感じる、１：強い異臭を感じる、の点数を付けた。３点以上の点数であれば、良好である。
【００５６】
＜滴定酸度＞
前述のとおりの方法で測定した。
＜包装体内の湿度＞
包装体内の湿度は、温湿度データロガ（（株）テストー製、ｔｅｓｔｏ１７５−Ｈ１）で測定した。実施例では、包装後２４時間後から開封直前まで１時間毎に記録して平均値を記載した。湿度計は、各条件１袋にマンゴーと同封した。
【００５７】
【表１】
2010018332.tif 000002
【００５８】
【表２】
2010018332.tif 000003
【００５９】
実施例１、２、４、５は、外観（炭そ病及びしおれ）と食味とも良好であった。実施例３と実施例６は、酸度と酸味がやや低いため食味の総合評価がやや低くなったが、３点以上であり、商品性ありと判断した。
比較例１と比較例３では、炭そ病が発生したため食味評価を行えなかった。比較例２では、炭そ病としおれは良好であったものの、酸度と酸味がやや低く、酸素不足による異常代謝が原因と思われる異味が感じられたので商品性が無いと判断した。